【手続補正書】
【提出日】平成21年1月6日(2009.1.6)
【手続補正１】
【補正対象書類名】特許請求の範囲
【補正対象項目名】全文
【補正方法】変更
【補正の内容】
【特許請求の範囲】
【請求項１】
平面形状が矩形状から成る上面、前記上面とは反対側の下面、及び前記上面の周縁部に沿うように、前記上面に配置された複数の端子を有する配線基板と、
平面形状が矩形状から成る第１主面、前記第１主面とは反対側の第１裏面、及び前記第１主面の周縁部に沿うように、前記第１主面に配置された複数の第１パッドを有し、前記複数の端子から成る端子列よりも前記配線基板の内側に位置し、前記第１裏面が前記配線基板の前記上面と対向するように、前記配線基板の前記上面に搭載された第１半導体チップと、
前記第１半導体チップの前記複数の第１パッドと前記配線基板の前記複数の端子とをそれぞれ電気的に接続する複数の第１ワイヤと、
前記第１半導体チップ及び前記複数の第１ワイヤを封止する封止体と、
前記配線基板の前記下面に設けられた複数の外部接続用端子と、
を含み、
前記複数の第１ワイヤのそれぞれは、前記配線基板の前記複数の端子のそれぞれと接続される第１ワイヤ接続部を有し、
前記複数の第１ワイヤのそれぞれの一部は、前記第１ワイヤ接続部より前記配線基板の前記上面における前記周縁部側に配置されていることを特徴とする半導体装置。
【請求項２】
請求項１記載の半導体装置において、
前記複数の第１ワイヤのそれぞれは、前記配線基板の前記端子から前記第１半導体チップの前記第１パッドに向かってループ状に形成され、
前記ループ状に形成された第１ワイヤは、前記第１半導体チップの前記第１主面側に位置する頂点部を有し、
前記頂点部は、前記第１ワイヤ接続部より前記配線基板の前記上面における前記周縁部側に配置されていることを特徴とする半導体装置。
【請求項３】
請求項２記載の半導体装置において、
前記配線基板の前記上面には、前記複数の端子のそれぞれと繋がる配線が形成されており、
前記配線は、前記端子から前記配線基板の内側に向かって形成されており、
前記配線基板の前記上面には、前記配線を覆うように、ソルダレジスト膜が形成されており、
前記ソルダレジスト膜は、前記端子と前記配線基板の前記上面における周縁部との間には形成されていないことを特徴とする半導体装置。
【請求項４】
請求項３記載の半導体装置において、
前記配線基板の前記上面には、前記複数の端子のそれぞれと繋がる給電線が形成されており、
前記給電線は、前記端子から前記配線基板の前記上面における周縁部に向かって形成されており、
前記給電線は、前記ソルダレジスト膜から露出していることを特徴とする半導体装置。
【請求項５】
請求項２記載の半導体装置において、
前記第１半導体チップの前記第１主面上には、平面形状が矩形状から成る第２主面、前記第２主面とは反対側の第２裏面、及び前記第２主面の周縁部に沿うように、前記第２主面に配置された複数の第２パッドを有する第２半導体チップが、前記第１半導体チップの前記複数の第１パッドから成るパッド列よりも前記第１半導体チップの内側に位置し、前
記第２裏面が前記第１半導体チップの前記第１主面と対向するように、積層されており、
前記第２半導体チップの前記複数の第２パッドは、複数の第２ワイヤを介して前記配線基板の前記複数の端子とそれぞれ電気的に接続されており、
前記複数の第１ワイヤのそれぞれの一部は、前記複数の第２ワイヤのそれぞれより前記配線基板の前記上面における前記周縁部側に配置されていることを特徴とする半導体装置。
【請求項６】
請求項５記載の半導体装置において、
前記第２半導体チップの前記複数の第２パッドは、複数の第３ワイヤを介して前記第１半導体チップの前記複数の第１パッドとそれぞれ電気的に接続されており、
前記複数の第３ワイヤのそれぞれは、前記第１半導体チップの前記複数の第１パッドとそれぞれ接続される第３ワイヤ接続部を有し、
前記複数の第３ワイヤのそれぞれの一部は、前記第３ワイヤ接続部より前記配線基板の前記上面における前記周縁部側に配置されていることを特徴とする半導体装置。
【請求項７】
請求項１記載の半導体装置において、
前記第１半導体チップの前記複数のパッドのそれぞれには、バンプが形成されており、
前記複数の第１ワイヤのそれぞれは、前記バンプを介して、前記半導体チップの前記パッドと電気的に接続されていることを特徴とする半導体装置。
【請求項８】
以下の工程を含むことを特徴とする半導体装置の製造方法：
（ａ）平面形状が矩形状から成る上面、前記上面とは反対側の下面、及び前記上面の周
縁部に沿うように、前記上面に配置された複数の端子を有する配線基板を準備する工程；
（ｂ）平面形状が矩形状から成る第１主面、前記第１主面とは反対側の第１裏面、及び前記第１主面の周縁部に沿うように、前記第１主面に配置された複数の第１パッドを有する第１半導体チップを、前記複数の端子から成る端子列よりも前記配線基板の内側に位置し、前記第１裏面が前記配線基板の前記上面と対向するように、前記配線基板の前記上面に搭載する工程；
（ｃ）前記第１半導体チップの前記複数の第１パッドと前記配線基板の前記複数の端子とを、複数の第１ワイヤを介してそれぞれ電気的に接続する工程；
（ｄ）前記第１半導体チップ及び前記複数の第１ワイヤを樹脂で封止する工程；
（ｅ）前記配線基板の前記下面に複数の外部接続用端子を設ける工程；
ここで、
前記複数の第１ワイヤのそれぞれは、前記第１ワイヤの第１部分を前記配線基板の前記端子と接続してから、前記第１ワイヤの第１部分とは異なる第２部分を前記第１半導体チップの前記パッドと接続することで、形成され、
前記複数の第１ワイヤのそれぞれは、前記複数の第１ワイヤのそれぞれの一部が、前記第１ワイヤの前記第１部分より前記配線基板の前記上面における前記周縁部側に位置するように、形成されることを特徴とする半導体装置の製造方法。
【請求項９】
請求項８記載の半導体装置の製造方法において、
前記複数の第１ワイヤのそれぞれは、前記第１半導体チップの前記第１主面側に位置する頂点部を有するように、前記配線基板の前記端子から前記第１半導体チップの前記第１パッドに向かってループ状に形成され、
前記複数の第１ワイヤのそれぞれは、前記頂点部が、前記第１ワイヤの前記第１部分より前記配線基板の前記上面における前記周縁部側に位置するように、形成されることを特徴とする半導体装置の製造方法。
【手続補正２】
【補正対象書類名】明細書
【補正対象項目名】００１４
【補正方法】変更
【補正の内容】
【００１４】
すなわち、本発明は、平面形状が矩形状から成る上面、前記上面とは反対側の下面、及び前記上面の周縁部に沿うように、前記上面に配置された複数の端子を有する配線基板と、平面形状が矩形状から成る第１主面、前記第１主面とは反対側の第１裏面、及び前記第１主面の周縁部に沿うように、前記第１主面に配置された複数の第１パッドを有し、前記複数の端子から成る端子列よりも前記配線基板の内側に位置し、前記第１裏面が前記配線基板の前記上面と対向するように、前記配線基板の前記上面に搭載された第１半導体チップと、前記第１半導体チップの前記複数の第１パッドと前記配線基板の前記複数の端子とをそれぞれ電気的に接続する複数の第１ワイヤと、前記第１半導体チップ及び前記複数の第１ワイヤを封止する封止体と、前記配線基板の前記下面に設けられた複数の外部接続用端子と、を含み、前記複数の第１ワイヤのそれぞれは、前記配線基板の前記複数の端子のそれぞれと接続される第１ワイヤ接続部を有し、前記複数の第１ワイヤのそれぞれの一部は、前記第１ワイヤ接続部より前記配線基板の前記上面における前記周縁部側に配置されているものである。
【手続補正３】
【補正対象書類名】明細書
【補正対象項目名】００１５
【補正方法】変更
【補正の内容】
【００１５】
また、本発明は、以下の工程を含むものである。（ａ）平面形状が矩形状から成る上面、前記上面とは反対側の下面、及び前記上面の周縁部に沿うように、前記上面に配置された複数の端子を有する配線基板を準備する工程；（ｂ）平面形状が矩形状から成る第１主面、前記第１主面とは反対側の第１裏面、及び前記第１主面の周縁部に沿うように、前記第１主面に配置された複数の第１パッドを有する第１半導体チップを、前記複数の端子から成る端子列よりも前記配線基板の内側に位置し、前記第１裏面が前記配線基板の前記上面と対向するように、前記配線基板の前記上面に搭載する工程；（ｃ）前記第１半導体チップの前記複数の第１パッドと前記配線基板の前記複数の端子とを、複数の第１ワイヤを介してそれぞれ電気的に接続する工程；（ｄ）前記第１半導体チップ及び前記複数の第１ワイヤを樹脂で封止する工程；（ｅ）前記配線基板の前記下面に複数の外部接続用端子を設ける工程；ここで、前記複数の第１ワイヤのそれぞれは、前記第１ワイヤの第１部分を前記配線基板の前記端子と接続してから、前記第１ワイヤの第１部分とは異なる第２部分を前記第１半導体チップの前記パッドと接続することで、形成され、前記複数の第１ワイヤのそれぞれは、前記複数の第１ワイヤのそれぞれの一部が、前記第１ワイヤの前記第１部分より前記配線基板の前記上面における前記周縁部側に位置するように、形成される。